(57)【要約】【課題】  複数のＰＣを集中管理することによるメリット、例えば、余剰ＣＰＵパワーの他用途への転用や、ハードディスク記録データの共用を活用する。【解決手段】  複数のコンピュータ装置１ａ〜１ｄを、それぞれの利用場所ではなく、コンピュータ集中運用センタシステム１に一括で設置し、センタ側において、各コンピュータ装置１ａ〜１ｄのメンテナンス管理の他、共有記憶装置（共有ディスク）１ｅの記録領域の配分、共有記憶装置（共有ディスク）１ｅを介した市販データの提供、および、各コンピュータ装置１ａ〜１ｄの余剰ＣＰＵパワーの他用途への転用などを行う。ユーザは、手元の端末装置２ａ〜２ｃ（例えばノートＰＣ）や携帯電話７等を操作することにより、コンピュータ集中運用センタに設置されている自コンピュータ装置（１ａ〜１ｄ）をインターネット等のネットワークを介してリモート操作する。【選択図】        図１
2006011786.tif 000002
【特許請求の範囲】
【請求項１】
各々予め契約で対応付けられたユーザにより端末装置からネットワークを介してリモート操作される複数のコンピュータ装置と、
該複数のコンピュータ装置のそれぞれで共有される共有記憶装置と、
複数のコンピュータ装置が重複して使用するファイルを上記共有記憶装置において重複ファイルとして一つにまとめるディスク管理装置と
を有することを特徴とするコンピュータ集中運用センタシステム。
【請求項２】
請求項１に記載のコンピュータ集中運用センタシステムであって、
上記ディスク管理装置は、複数のコンピュータ装置が使用する各ファイルが類似するファイルであれば、上記重複ファイルと同様に上記共有記憶装置において一つにまとめる手段を有することを特徴とするコンピュータ集中運用センタシステム。
【請求項３】
請求項１もしくは請求項２のいずれかに記載のコンピュータ集中運用センタシステムであって、
上記ディスク管理装置は、上記重複ファイルを使用する各コンピュータ装置の数に応じて、各コンピュータ装置をリモート操作する各ユーザへ課金する当該重複ファイルの記憶領域分の使用料を算出する手段を有することを特徴とするコンピュータ集中運用センタシステム。
【請求項４】
請求項３に記載のコンピュータ集中運用センタシステムであって、
上記ディスク管理装置で算出した上記重複ファイルの記憶領域使用料と、単独で当該重複ファイルを記憶した場合の記憶領域使用料とを、当該ユーザに上記端末装置を介して通知する手段を有することを特徴とするコンピュータ集中運用センタシステム。
【請求項５】
請求項１から請求項４のいずれかに記載のコンピュータ集中運用センタシステムであって、
上記ディスク管理装置は、上記共有記憶装置にセンタ管理フォルダと個人管理フォルダを生成し、
上記センタ管理フォルダには、予め各コンピュータ装置での読み取りおよび起動は許可されているが複製および保存が禁止されているプログラムおよびデータを格納し、
上記個人管理フォルダには、上記端末装置からの操作に応じて各ユーザによる更新を含む全ての操作が許可されているデータを格納する
ことを特徴とするコンピュータ集中運用センタシステム。
【請求項６】
請求項１から請求項５のいずれかに記載のコンピュータ集中運用センタシステムであって、
上記複数のコンピュータ装置のそれぞれで個別に用いられる専用記憶装置を有し、
該専用記憶装置に当該コンピュータ装置の起動用プログラムをインストールすることを特徴とするコンピュータ集中運用センタシステム。
【請求項７】
請求項１から請求項６のいずれかに記載のコンピュータ集中運用センタシステムであって、
上記複数のコンピュータ装置のそれぞれのＣＰＵの利用率を求め、アイドルタイムの大きいＣＰＵを特定し、特定したＣＰＵを有するコンピュータ装置に、当該コンピュータ装置をリモート操作する端末装置からのタスク以外の新たなタスクを割り当てる手段を有することを特徴とするコンピュータ集中運用センタシステム。
【請求項８】
請求項７に記載のコンピュータ集中運用センタシステムであって、
新たなタスクの割り当てに対して、当該コンピュータ装置をリモート操作する端末装置からのタスクの割り当てを優先する手段を有することを特徴とするコンピュータ集中運用センタシステム。
【請求項９】
請求項７もしくは請求項８のいずれかに記載のコンピュータ集中運用センタシステムであって、
上記新たに割り当てたタスクの要求元にＣＰＵの使用に応じた課金を行い、該課金に応じて、新たなタスクを割り当てたコンピュータ装置をリモート操作するユーザに対する課金を減額する手段を有することを特徴とするコンピュータ集中運用センタシステム。
【請求項１０】
請求項１から請求項９のいずれかに記載のコンピュータ集中運用センタシステムであって、
端末装置から要求されたデータを上記共有記憶装置から読み出し、要求元の端末装置に予め対応付けられたデータ再生専用装置に送信する手段を有することを特徴とするコンピュータ集中運用センタシステム。
【請求項１１】
請求項１０に記載のコンピュータ集中運用センタシステムであって、
上記データ再生専用装置にデータを送信する手段は、
送信対象のデータを、予め定められた間隔毎の予め定められたデータ量からなり上記データ再生専用装置が具備する揮発性記憶装置に記憶される複数の部分データと上記データ再生専用装置が具備する不揮発性記憶装置に記憶される残りのデータに分割する手段と、
上記残りのデータを上記データ再生専用装置に一括して送信し、上記複数の部分データのそれぞれを当該データ再生専用装置における上記残りのデータの再生に合わせて分割して送信する手段と
を有することを特徴とするコンピュータ集中運用センタシステム。
【請求項１２】
コンピュータを、請求項１から請求項１１のいずれかに記載のコンピュータ集中運用センタシステムにおける各手段として機能させるためのプログラム。
【請求項１３】
各々予め契約で対応付けられたユーザにより端末装置からネットワークを介してリモート操作される複数のコンピュータ装置と、
該複数のコンピュータ装置のそれぞれで共有される共有記憶装置とを具備したコンピュータ集中運用センタシステムにおけるデータ管理制御方法であって、
複数のコンピュータ装置が重複して使用するファイルを上記共有記憶装置において重複ファイルとして一つにまとめる第１のステップ
を有することを特徴とするコンピュータ集中運用センタシステムのデータ管理制御方法。
【請求項１４】
請求項１３に記載のコンピュータ集中運用センタシステムのデータ管理制御方法であって、
上記複数のコンピュータ装置が使用する各ファイルが類似するファイルであれば、上記第１のステップにおいて、上記重複ファイルと同様に上記共有記憶装置において一つにまとめることを特徴とするコンピュータ集中運用センタシステムのデータ管理制御方法。
【請求項１５】
請求項１３もしくは請求項１４のいずれかに記載のコンピュータ集中運用センタシステムのデータ管理制御方法であって、
上記第１のステップにおいてまとめた重複ファイルを使用する各コンピュータ装置の数に応じて、各コンピュータ装置をリモート操作する各ユーザへ課金する当該重複ファイルの記憶領域分の使用料を算出する第２のステップを有することを特徴とするコンピュータ集中運用センタシステムのデータ管理制御方法。
【請求項１６】
請求項１５に記載のコンピュータ集中運用センタシステムのデータ管理制御方法であって、
上記第２のステップで算出した上記重複ファイルの記憶領域使用料と、単独で当該重複ファイルを記憶した場合の記憶領域使用料とを、当該ユーザに上記端末装置を介して通知する第３のステップを有することを特徴とするコンピュータ集中運用センタシステムのデータ管理制御方法。
【請求項１７】
請求項１３から請求項１６のいずれかに記載のコンピュータ集中運用センタシステムのデータ管理制御方法であって、
上記共有記憶装置にセンタ管理フォルダと個人管理フォルダを生成する第５のステップと、
上記センタ管理フォルダに、予め各コンピュータ装置での読み取りおよび起動は許可されているが複製および保存が禁止されているプログラムおよびデータを格納する第６のステップと、
上記個人管理フォルダに、上記端末装置からの操作に応じて各ユーザによる更新を含む全ての操作が許可されているデータを格納する第７のステップと
を有することを特徴とするコンピュータ集中運用センタシステムのデータ管理制御方法。
【請求項１８】
請求項１３から請求項１７のいずれかに記載のコンピュータ集中運用センタシステムのデータ管理制御方法であって、
上記複数のコンピュータ装置のそれぞれで個別に用いられる各専用記憶装置に、当該コンピュータ装置の起動用プログラムをインストールする第８のステップを有することを特徴とするコンピュータ集中運用センタシステムのデータ管理制御方法。
【請求項１９】
請求項１３から請求項１８のいずれかに記載のコンピュータ集中運用センタシステムのデータ管理制御方法であって、
上記複数のコンピュータ装置のそれぞれのＣＰＵの利用率を求めて、アイドルタイムの大きいＣＰＵを特定する第９のステップと、
特定したＣＰＵを有するコンピュータ装置に、当該コンピュータ装置をリモート操作する端末装置からのタスク以外の新たなタスクを割り当てる第１０のステップと
を有することを特徴とするコンピュータ集中運用センタシステムのデータ管理制御方法。
【請求項２０】
請求項１９に記載のコンピュータ集中運用センタシステムのデータ管理制御方法であって、
新たなタスクの割り当てに対して、当該コンピュータ装置をリモート操作する端末装置からのタスクの割り当てを優先する第１１のステップを有することを特徴とするコンピュータ集中運用センタシステムのデータ管理制御方法。
【請求項２１】
請求項１９もしくは請求項２０のいずれかに記載のコンピュータ集中運用センタシステムのデータ管理制御方法であって、
上記新たに割り当てたタスクの要求元にＣＰＵの使用に応じた課金を行う第１２のステップと、
該課金に応じて、上記新たなタスクを割り当てたコンピュータ装置をリモート操作するユーザに対する課金を減額する第１３のステップとを有することを特徴とするコンピュータ集中運用センタシステムのデータ管理制御方法。
【請求項２２】
請求項１３から請求項２１のいずれかに記載のコンピュータ集中運用センタシステムのデータ管理制御方法であって、
端末装置から要求されたデータを上記共有記憶装置から読み出し、要求元の端末装置に予め対応付けられたデータ再生専用装置に送信する第１４のステップを有することを特徴とするコンピュータ集中運用センタシステムのデータ管理制御方法。
【請求項２３】
請求項２２に記載のコンピュータ集中運用センタシステムのデータ管理制御方法であって、
上記第１４のステップでは、
送信対象のデータを、予め定められた間隔毎の予め定められたデータ量からなり上記データ再生専用装置が具備する揮発性記憶装置に記憶される複数の部分データと上記データ再生専用装置が具備する不揮発性記憶装置に記憶される残りのデータに分割するステップと、
上記残りのデータを上記データ再生専用装置に一括して送信し、上記複数の部分データのそれぞれを当該データ再生専用装置における上記残りのデータの再生に合わせて分割して送信するステップと
を有することを特徴とするコンピュータ集中運用センタシステムのデータ管理制御方法。
【発明の詳細な説明】
【技術分野】
【０００１】
本発明は、各々予め契約で対応付けられたユーザにより端末装置からネットワークを介してリモート操作される複数のコンピュータ装置を、一カ所にまとめて設置し、各コンピュータ装置の保守・運用管理を一括して行うことで、ユーザのメンテナンス負荷を軽減するコンピュータ集中運用技術に係わり、特に、運用コストの削減に好適なコンピュータ集中運用技術に関するものである。
【背景技術】
【０００２】
過去、コンピュータのハードウェアが高価だった時代、１台の大型コンピュータに複数のダム端末が従属する形でＣＰＵパワーや記憶装置等のコンピュータ資源の有効利用を図り、計算仕事量あたりのコスト削減を図ってきた。
【０００３】
近年、高性能な小型コンピュータの量産化によるコスト削減が実現し、いわゆるパーソナルコンピュータ（以下「ＰＣ」と記載）として世の中に普及し、それを利用した分散処理技術とネットワークシステムは現在重要な社会インフラとなっている。
【０００４】
しかし、激しい技術競争の結果、ＰＣの用途は多様化し、接続される機器も増えて、複雑性が増し、個人がＰＣを維持・管理していくのには負担が増えつつある。
【０００５】
ＡＳＰ（アプリケーション・サービス・プロバイダ）の分野では、顧客のコンピュータ資産の管理代行を目指すサービスが登場しつつある。しかし、この技術は、あくまでも資産情報の収集・管理等のソフトウェア的なサービスであり、ＰＣハードウェアそのものを管理代行の対象としたものではない。
【０００６】
ハードウェアの管理代行を前提としたサービスを提供するシステムの従来技術例として、例えば、非特許文献１に記載のものがある。この技術は、海外から、国内に設置されている個人所有のＰＣにブロードバンドでリモートアクセスし、このＰＣで録画した国内のＴＶ放送の視聴を目的とするものである。
【０００７】
この技術によれば、ＰＣの機能をパーソナルに専有できるメリットはそのままで、ＰＣ本体（ハードウェア）をセンタで集中管理することにより、維持・管理に係る個人の負担を軽減することができる。
【０００８】
しかし、この従来技術は、国内のＴＶ放送の視聴を録画して海外のＰＣに配信することを目的としており、著作権の侵害を回避するために、集中管理する各ＰＣは個別に使用される構成となっており、複数のＰＣを集中管理することによるメリット、例えば、余剰ＣＰＵパワーの他用途への転用や、ハードディスク記録データの共用を活用することはできない。
【０００９】
【非特許文献１】渡辺史敏、石川京子、『ＡＳＡＨＩパソコン  ２００３．１２．１５  「放送界困った、テレパソで海外へテレビ番組視聴サービス  リモートアクセスとブロードバンドで海外転送」』、ｐ．１８−１９
【発明の開示】
【発明が解決しようとする課題】
【００１０】
解決しようとする問題点は、従来の技術では、複数のＰＣを集中管理することによるメリット、例えば、余剰ＣＰＵパワーの他用途への転用や、ハードディスク記録データの共用を活用することはできない点である。
【００１１】
本発明の目的は、これら従来技術の課題を解決し、ＰＣの機能をパーソナルに専有できるメリットはそのままで、ＰＣ本体（ハードウェア）をセンタで集中管理することにより、維持・管理に係る個人の負担を軽減すると共に、集中管理によって実現可能となるメリット（余剰ＣＰＵパワーの他用途への転用、ハードディスク記録データの共用）を活用し、ＰＣのライフサイクルにおいて、業務用コンピュータと比較し、ＰＣが本来持っている能力の利用率が低いというパーソナルコンピュータがパーソナルである故の不経済性を解消することである。さらに、集中運用システムを構成する機器には、従来のＰＣと同じもの、または延長線の技術が適用できるものを使用することにより、集中運用センタの設立コストおよび維持コストを削減し、サービス価格を下げ、ユーザの利便性の拡大を図る。
【課題を解決するための手段】
【００１２】
上記目的を達成するため、本発明では、複数のコンピュータ本体（ハードウェア）を、それぞれの利用場所ではなく、集中運用センタに一括で設置し、センタ側において、各コンピュータのメンテナンス管理の他、共有ディスクの配分、共有ディスクを介した市販データの提供、および、各コンピュータの余剰ＣＰＵパワーの他用途への転用などを行う。ユーザは、手元の端末装置、例えばノートＰＣや携帯電話、ＰＤＡ（Personal Digital Assistant）等を操作することにより、センタに設置されている自コンピュータをネットワークを介してリモート操作する。さらに、ユーザ側で用意した再生専用の装置に、共有ディスクから市販の映像・音楽データを読み出して配信する。
【発明の効果】
【００１３】
本発明によれば、センタ側において、各コンピュータの一括メンテナンス管理の他、共有ディスクの配分、共有ディスクを介した市販データの提供、および、各コンピュータの余剰ＣＰＵパワーの他用途への転用などを行うことができ、各ユーザは、例えばＰＣの機能をパーソナルに専有できるメリットはそのままで、維持・管理に係る個人の負担が軽減されると共に、集中管理によって実現可能となるメリット（余剰ＣＰＵパワーの他用途への転用、ハードディスク記録データの共用）を活用でき、ＰＣのライフサイクルにおいて、ＰＣが本来持っている能力の利用率が低いというＰＣの不経済性を解消することが可能である。さらに、ユーザ側では、用意した再生専用の装置に、共有ディスクから市販の映像・音楽データをダウンロードすることで、ＨＤＴＶ等を介して高品質な再生も可能となる。
【発明を実施するための最良の形態】
【００１４】
以下、図を用いて本発明を実施するための最良の形態例を説明する。
【実施例】
【００１５】
図１は、本発明に係わるコンピュータ集中運用センタシステムの構成例およびそれを用いたコンピュータ管理サービスネットワークシステムの構成例を示すブロック図である。
【００１６】
図１において、１は本発明に係わるコンピュータ集中運用センタシステム（図中「センタシステム」と記載）、２ａ〜２ｃは各ユーザが使用する端末装置（図中「リモート制御用端末ＰＣ」と記載）、３ａ〜３ｃは端末装置２ａ〜２ｃを例えばインターネット等のネットワークを介してコンピュータ集中運用センタシステム１に接続するルータ、４ａはＨＤＴＶ（High Definition TeleVision、高精細テレビ）、４ｂは各種のオーディオ・ビジュアル機器、５は各種データの再生専用装置としてのメディアサーバ、６は交換装置６ａを具備した電話会社システム、７は電話会社システム６を経由してセンタシステム１にアクセスする携帯電話である。
【００１７】
コンピュータ集中運用センタシステム１には、各ユーザの端末装置２ａ〜２ｃによりリモート操作されるコンピュータ装置（図中「センタ管理用個人所有ＰＣ」と記載）１ａ〜１ｄと、各コンピュータ装置１ａ〜１ｄのそれぞれで共有される共有記憶装置（図中「共有ディスク」と記載）１ｅ、共有記憶装置１ｅを制御するディスク管理装置（図中「ディスク管理」と記載）１ｆ、各コンピュータ１ｄに固有に設けられた専用記憶装置（図中「専用ディスク」と記載）１ｇ、およびシステム全体の制御処理を行うセンタ制御装置１ｈが設けられている。
【００１８】
コンピュータ装置１ａ〜１ｄ、端末装置２ａ〜２ｃと同様に、ディスク管理装置１ｆおよびセンタ制御装置１ｈは、ＣＰＵ（Central  Processing  Unit）や主メモリ、表示手段、入力手段、外部記憶装置等を具備したコンピュータ構成からなり、光ディスク駆動装置等を介してＣＤ−ＲＯＭ等の光記憶媒体に記録されたプログラムやデータを外部記憶装置内にインストールした後、この外部記憶装置から主メモリに読み込みＣＰＵで処理することにより、各機能の処理を実行する。
【００１９】
コンピュータ集中運用センタシステム１においては、各コンピュータ装置１ａ〜１ｄは、各々予め契約で対応付けられたユーザにより端末装置２ａ〜２ｃや携帯電話７からルータ３ａ〜３ｃおよびネットワークを介してリモート操作され、共有記憶装置１ｅは、各コンピュータ装置１ａ〜１ｄのそれぞれで共有される。そして、ディスク管理装置１ｆは、各コンピュータ装置１ａ〜１ｄが重複して使用するファイルを共有記憶装置１ｅにおいて重複ファイルとして一つにまとめる機能を有する。また、ディスク管理装置１ｆは、複数のコンピュータ装置が使用する各ファイルが類似するファイルであれば、重複ファイルと同様に、共有記憶装置１ｅにおいて一つにまとめる機能を有する。
【００２０】
本例のコンピュータ集中運用センタシステム１は、センタ制御装置１ｈにおいて、各ユーザによる端末装置２ａ〜２ｃ、携帯電話７を介しての各コンピュータ装置１ａ〜１ｄのリモート操作および専用ディスク１ｇの使用に対して課金を行うと共に、共有記憶装置１ｅの使用に対する課金も行う。
【００２１】
このセンタ制御装置１ｈにおける課金処理に関連して、ディスク管理装置１ｆにおいては、重複ファイルを使用する各コンピュータ装置１ａ〜１ｄの数に応じて、各コンピュータ装置１ａ〜１ｄをリモート操作する各ユーザへ課金する当該重複ファイルの記憶領域分の使用料を算出する機能を有する。
【００２２】
この際、センタ制御装置１ｈは、ディスク管理装置１ｆで算出した重複ファイルの記憶領域使用料と、単独で当該重複ファイルを例えば専用記憶装置１ｇにおいて記憶した場合の記憶領域使用料とを、当該ユーザに、端末装置２ａ〜２ｃ、携帯電話７を介して通知する機能を有する。
【００２３】
また、ディスク管理装置１ｆは、共有記憶装置１ｅにセンタ管理フォルダと個人管理フォルダを生成し、センタ管理フォルダには、予め各コンピュータ装置１ａ〜１ｄでの読み取りおよび起動は許可されているが複製および保存が禁止されているプログラムおよびデータを格納し、個人管理フォルダには、端末装置２ａ〜２ｃや携帯電話７からの操作に応じて各ユーザによる更新を含む全ての操作が許可されているデータを格納する。
【００２４】
専用記憶装置１ｇは、ここでは１つ記載されているが、各コンピュータ装置１ａ〜１ｄに内蔵されたハードディスク装置で構成され、各コンピュータ装置１ａ〜１ｄのそれぞれで個別に用いられる。例えば、専用記憶装置１ｇには、当該コンピュータ装置１ｄの起動用プログラムがインストールされる。
【００２５】
さらに、センタ制御装置１ｈは、各コンピュータ装置１ａ〜１ｄのそれぞれのＣＰＵの利用率を求め、アイドルタイムの大きいＣＰＵを特定し、特定したＣＰＵを有するコンピュータ装置（１ａ〜１ｄ）に、当該コンピュータ装置（１ａ〜１ｄ）をリモート操作する端末装置（２ａ〜２ｃ）からのタスク以外の新たなタスクを割り当てる機能を有する。
【００２６】
尚、センタ制御装置１ｈは、この新たなタスクの割り当てに対して、当該コンピュータ装置（１ａ〜１ｄ）をリモート操作する端末装置（２ａ〜２ｃ）からのタスクの割り当てを優先する機能を有する。そして、センタ制御装置１ｈは、新たに割り当てたタスクの要求元にＣＰＵの使用に応じた課金を行い、この課金に応じて、新たなタスクを割り当てたコンピュータ装置（１ａ〜１ｄ）をリモート操作するユーザに対する課金を減額する機能を有する。
【００２７】
また、センタ制御装置１ｈは、端末装置２ａ〜２ｃや携帯電話７から要求されたデータを共有記憶装置１ｅから読み出し、要求元の端末装置２ａ〜２ｃや携帯電話７に予め対応付けられたメディアサーバ（データ再生専用装置）５に送信する機能を有する。この際、センタ制御装置１ｈは、送信対象のデータを、予め定められた間隔毎の予め定められたデータ量からなりメディアサーバ５が具備する揮発性記憶装置に記憶される複数の部分データと当該メディアサーバ５が具備する不揮発性記憶装置に記憶される残りのデータに分割する機能と、残りのデータをメディアサーバ５に一括して送信し、複数の部分データのそれぞれを当該メディアサーバ５における残りのデータの再生に合わせて分割して送信する機能とを有する。
【００２８】
このように、本例のコンピュータ集中運用センタシステム１を設けたコンピュータ管理サービスネットワークシステムにおいては、各コンピュータ装置１ａ〜１ｄをその利用場所ではなく、コンピュータ集中運用センタシステム１に一括で設置し、コンピュータ集中運用センタシステム１において、各コンピュータ装置１ａ〜１ｄのメンテナンス管理の他、共有記憶装置１ｅの記憶領域の配分、共有記憶装置１ｅを介した市販データの提供、および、各コンピュータ装置１ａ〜１ｄの余剰ＣＰＵパワーの他用途への転用などを行う。
【００２９】
ユーザは、手元のノートＰＣ等からなる端末装置２ａ〜２ｃや携帯電話７を操作することにより、コンピュータ集中運用センタシステム１に設置されている自コンピュータ装置（１ａ〜１ｄ）をネットワークを介してリモート操作すると共に、ユーザ側で用意した再生専用の装置であるメディアサーバ５に、共有記憶装置１ｅから市販の映像・音楽データをダウンロードして、ＨＤＴＶ４ａや各種ＡＶ機器４ｂで再生する。
【００３０】
尚、各コンピュータ装置１ａ〜１ｄのリモート操作に例えばノートＰＣを利用することにより、様々な用途への拡大が進んでするＰＣに役割分担を持たせることができる。
【００３１】
以下、図２〜図２４を用いて、コンピュータ集中運用センタシステム１およびそれを用いたコンピュータ管理サービスネットワークシステムの詳細を説明するが、まず、図２〜図８により、リモート操作技術について説明する。
【００３２】
図２は、図１におけるコンピュータ管理サービスネットワークシステムのリモート制御に係わるシステム構成例を示すブロック図であり、図３は、図２における専用アダプタの構成例を示すブロック図、図４は、図２におけるシステム構成での信号の送受信動作例を示す説明図、図５は、図２におけるセンタ内仲介サーバの処理動作例を示す説明図、図６は、図２におけるセンタ内仲介サーバの処理動作の詳細例およびそれに対応する端末装置の処理動作例を示す説明図、図７は、図５におけるセンタ内仲介サーバで送受信される電送データのフォーマット例を示す説明図、図８は、図５におけるセンタ内仲介サーバで管理されるチェックテーブルの構成例を示す説明図である。
【００３３】
以下の図２〜図８で説明するリモート操作技術では、端末装置２ａ〜２ｃ（リモート制御用端末ＰＣ）からコンピュータ装置１ａ〜１ｄ（センタ管理個人所有ＰＣ）の操作をインターネット網を利用したネットワークを経由して行う。このようにインターネット網を利用することにより、端末装置（リモート制御用端末ＰＣ）があれば、ユーザは、世界中何処でも、保守・管理された自分のコンピュータ装置（センタ管理個人所有ＰＣ）と個人データを利用することができる。また、例えばノートＰＣ等、モバイルＰＣの盗難・紛失・物理破損によるデータ損失を回避することができる。
【００３４】
まず、図２におけるリモート制御システムでの信号伝送について説明する。ネットワーク内を流れる入出力制御信号は、端末装置（図中「リモート制御用端末ＰＣ」と記載）２ａからコンピュータ装置（図中「センタ管理個人所有ＰＣ」と記載）１ａ〜１ｄへの上り方向は、マウスやキーボートなどからのコントロールのための入力情報で、コンピュータ装置１ａ〜１ｄから端末装置２ａへの下り方向は、制御した結果の画面情報および音声情報等の出力情報である。
【００３５】
専用アダプタ１ｉは、コンピュータ装置１ａ〜１ｄからの入出力信号をネットワーク伝送形式に変換するための装置である。尚、この専用アダプタ１ｉは、コンピュータ装置１ａ〜１ｄのＣＰＵパワーに余裕がある場合は、コンピュータ装置１ａ〜１ｄ内のソフトウェア処理により代替することが可能である。また、センタ内仲介サーバ１ｊは、リモート操作するユーザの認証等、センタ側と外部ネットワークの仲介を行うための機能を設けたコンピュータ装置である。
【００３６】
端末装置２ａには、コンピュータ装置１ａ〜１ｄをリモート操作するための専用ソフトウェアがインストールされている。ルータ３もしくはモデム、プロバイダ装置（図中「プロバイダ」と記載）２１、インターネット網２０は、既存の機器およびサービスであり、従来通りの機能を果たす。
【００３７】
以下、専用アダプタ１ｉについて、図３を用いて説明する。図３に内部構成を示す専用アダプタ１ｉは、コンピュータ装置１ａ〜１ｄをセンタ内仲介サーバ１ｊに繋ぐための装置であり、センタ内仲介サーバ１ｊとの接続用のＬＡＮボード３２と、コンピュータ装置１ａ〜１ｄとのインターフェース用のＵＳＢ２．０端子３４およびモニタ入力端子３５を具備し、さらに、ＬＡＮ・ＵＳＢ間の信号変換を行う機能ブロックとＭＰＥＧ４の動画エンコードを行う機能ブロックを具備したメイン基盤３１、および、ＡＣ電源をＤＣ変換するＤＣコンバータ３３を具備している。
【００３８】
専用アダプタ１ｉのＵＳＢ２．０端子３４に接続されるＵＳＢ２．０ケーブル内を流れる信号としては、「マウス制御信号（既存のＵＳＢマウスと互換）」、「キーボード制御信号（既存のＵＳＢキーボードと互換）」、「ＰＣからの音声信号（既存のＵＳＢスピーカーと互換）」、「ＰＣからのマウスカーソルの現在位置（Ｘ位置、Ｙ位置）」等があり、また、モニタ入力端子３５に接続されるモニタ接続ケーブル内を流れる信号としては、「ＰＣからの画面情報（既存のＶＧＡまたはＤＶＩと互換）」がある。
【００３９】
センタ内仲介サーバ１ｊとのインターフェースにはＬＡＮケーブルが使用され、このＬＡＮケーブルには、ＬＡＮ・ＵＳＢ間の信号変換機能ブロックで変換された「マウス制御信号（既存のＵＳＢマウスと互換）」と「キーボード制御信号（既存のＵＳＢキーボードと互換）」が、また、ＭＰＥＧ４の動画エンコードを行う機能ブロックで動画圧縮された「ＰＣからの音声信号（既存のＵＳＢスピーカーと互換）」と「ＰＣからの画面情報（既存のＶＧＡまたはＤＶＩと互換）」が流される。
【００４０】
次に、図４を用いて、端末装置４３（２ａ〜２ｃ）とコンピュータ装置４１（１ａ〜１ｄ）間で授受される制御用入出力信号の内容と経路の説明を行う。特に、図２に示す専用アダプタ４２（１ｉ）を介しての処理内容を説明する。
【００４１】
図４ｂにおいて、センタ側でのコンピュータの集中運用サービスの提供を有料で受けることを契約したユーザは、端末装置４３の画面上に映し出されている情報を基に、マウスやキーボードの操作を行い、端末装置４３は、この操作内容をＬＡＮ信号に変換し、インターネット（２０）を介して送信する。
【００４２】
図４ａにおいて、コンピュータ集中運用センタシステム（１）では、端末装置４３からのユーザ操作情報を、センタ内仲介サーバ（１ｊ）で受信し、専用アダプタ４２に取り込む。専用アダプタ４２は、取り込んだユーザ操作情報（ＬＡＮ信号）をマウス・キーボード操作信号に復号した後、当該ユーザが契約しているコンピュータ装置４１に渡す。
【００４３】
コンピュータ装置４１は、マウス・キーボード操作信号に基づく処理を行い、信号の内容を反映した画面や音声の出力を行い、その処理結果を、専用アダプタ４２において動画圧縮して、センタ内仲介サーバ（１ｊ）からインターネット（２０）を介して端末装置４３に返信し、図４ｂにおいて、端末装置４３は、自装置でのユーザ操作結果がフィードバックされた画面を表示出力する。
【００４４】
次に、図５を用いて、図２におけるセンタ内仲介サーバ１ｊについて説明する。センタ内仲介サーバ５３（１ｊ）の役割は、専用アダブタ５１（４２，１ｉ）と端末装置５５（４３，２ａ）とのデータ仲介であり、センタ内ＬＡＮ（１）５２とインターネット網５４との間のゲートウェイ機能を有し、このゲートウェイ機能により、宛先のＩＰアドレス変換を行うことで、上り伝送データは専用アダプタ５１へ、下り伝送データは端末装置５５へ伝送される。
【００４５】
また、センタ内仲介サーバ５３は、チェックテーブル（ＴＢＬ）を用いたユーザ認証機能を有し、このユーザ認証機能による認証処理動作例を図６を用いて説明する。この図６は、センタ内仲介サーバ５３と端末装置５５間で行われるユーザ認証の処理手順を示しており、相互の通信は「上り伝送データ」と「下り伝送データ」それぞれのヘッダに付加される使い捨て型のアカウントによって制御される。
【００４６】
すなわち、図６ａに示すように、センタ内仲介サーバ５３は、端末装置５５からの上り伝送データを受け取ると（ステップＳ６０１）、チェックＴＢＬを参照してアカウントの判定を行い（ステップＳ６０２）、有効だった場合は、上り伝送データを専用アダプタ５１へ仲介した後（ステップＳ６０３）、アカウント期限に応じて必要であれば新アカウントを発行し（ステップＳ６０４，６０５）、専用アダプタ５１からの下り伝送データに付加して端末装置５５に仲介する。
【００４７】
尚、ステップＳ６０２においてアカウントが有効でなければ、ユーザＩＤ、パスワードによるユーザ認証を行い（ステップＳ６０９）、その認証が成功すればステップＳ６０５の処理に移り、認証に失敗すれば、下り伝送データの端末装置５５への仲介を停止する（ステップＳ６０７）。
【００４８】
端末装置（リモート制御側ＰＣ）５５は、図６ｂに示すように、上り伝送データをセンタ内仲介サーバ５３に送付してユーザ認証を行い（ステップＳ６１０，Ｓ６１１）、ユーザ認証後、下り伝送データに付加されていた新アカウントを上り伝送データに付加してセンタ内仲介サーバ５３との通信の継続を行う（ステップＳ６１２〜Ｓ６１５）。
【００４９】
尚、アカウントには有効期限が定められており、通信のつど更新されるので、アカウントが外部に洩れることで起こり得る、他者のなりすましによる不正アクセスを防ぐことができる。また、アカウントの有効期限を適度に短くすることにより、リモート操作をしていない時に「下り伝送データ」の送信を停止し、ネットワークの負荷を軽減できる。
【００５０】
このような伝送データのフォーマット（例）を図７を用いて説明する。この図７に示すように、伝送データには上り・下り共に、ヘッダにアカウントが付加され、センタ内仲介サーバ５３でのユーザ認証に使用される。ＲＱ（リクエストコード）は、伝送データのデータ内容を示すコードで、図７では’０１’〜’４０’が上り伝送データで、’８０’〜’９０’が下り伝送データである。上り伝送データのうち、’３０’の「メディア交換」の宛先は、専用アダプタ５１ではなく、共有記憶装置（共有ディスク）のファイルサーバに送信される。
【００５１】
図８においては、図５におけるセンタ内仲介サーバ５３が具備するチェックテーブル８１（チェックＴＢＬ）の構成例を示しており、このチェックテーブル８１は、アカウントテーブル（ＴＢＬ）８２とユーザＩＤテーブル（ＴＢＬ）８３、および、専用アダプタテーブル（ＴＢＬ）８４の３つのデータベースで構成される。
【００５２】
初回のログインの際には、ユーザＩＤテーブル８３と専用アダプタテーブル８４よりアカウントテーブル８２のレコードを生成する。伝送データに付加されているアカウントのチェックには、アカウントテーブル８２のアカウントの存在可否と有効日時の判定で行う。アカウント再発行の際には旧アカウントは破棄されアカウントテーブル８２から削除される。
【００５３】
次に、図９〜図１２を用いて、図１におけるコンピュータ集中運用センタシステムの各コンピュータ装置の集中管理動作について説明する。このように、個人所有の複数のコンピュータ装置をセンタで集中管理することにより、利用者（ユーザ）は以下のメリットが得られる。
【００５４】
すなわち、ユーザは、利用するハードウェアを自宅（職場）に置かなくて済む。これにより、コンピュータ装置の設置場所や大容量電源の確保、冷却ファン騒音対策が不要となる。また、コンピュータ装置の初期設定・パーツ交換はセンタ側で代行するので、ユーザは、ハードウェアの専門知識なしに、最新または特殊なハードも利用できる。さらに、コンピュータ装置内の基板の交換もセンタ側で肩代わりして行うので、ユーザ側では、ハードウェア故障時の修理依頼・代用ＰＣの準備も不要となる。また、共有ディスクはセンタ側で保全し、専用ディスクのバックアップも共有ディスク経由で行うので、ユーザは、安全・簡単・確実なデータ保全サービスを得ることができる。
【００５５】
図９は、図１におけるコンピュータ管理サービスネットワークシステムでのコンピュータ装置の管理構成例を示す説明図であり、図１０は、図９におけるディスク接続装置の構成例を示すブロック図、図１１は、図１０におけるディスク接続装置の処理機能例を示す説明図、図１２は、図１０におけるディスク接続装置の利用形態例を示す説明図である。
【００５６】
図９においては、複数のコンピュータ装置（センタ管理個人所有ＰＣ）を集中管理するために、各コンピュータ装置を、マザーボートとビデオカートからなる基板９２ｂで構成し、保管ラック９２にまとめて収納している。これにより、設置スペース節約とメンテナンス性の向上を図っている。尚、各コンピュータ装置（基板９２ｂ）のコンピュータとしての機能に通常のコンピュータからの変更は無く、市販のＰＣ基板がそのまま使用可能である。また、外部のセンタ内仲介サーバ９１と共有ディスク管理用ファイルサーバ９３、および、複数の汎用ＰＣ用５インチハードディスクを格納した共有ディスク保管ラック９４との接続には専用アダプタ９２ａとディスク接続装置９２ｃを介し、センタ内ＬＡＮを経由して行う。
【００５７】
専用アダプタ９２ａについては、図２〜図４等で説明済みであり、以下、ディスク接続装置９２ｃについて説明する。コンピュータ装置（センタ管理個人所有ＰＣ）はリモート操作される都合上、ＣＤ−ＲＯＭ等などの交換可能な記録メディアを用いる外部記憶装置は使用できないので、代替としてディスク接続装置９２ｃに接続する。
【００５８】
このディスク接続装置９２ｃは、図１０に示すように、メイン基板９２１、ＬＡＮボード９２２、ＤＣコンバータ９２３、ハードディスク９２４からなり、コンピュータ装置との接続用のシリアルＡＴＡ（ＡＴＡttachment）（１）１００２，（２）１００１を具備している。
【００５９】
シリアルＡＴＡ（１）１００２は、内蔵されている専用のハードディスク９２４（ＰＣ起動用のシステムドライブ）に接続されてドライブ割当される。また、シリアルＡＴＡ（２）１００１は、メイン基板９２１におけるＬＡＮ装置・シリアルＡＴＡ信号変換機能ブロックに接続され、ＬＡＮボード９２２を介してＬＡＮ経由で共有記憶装置（共有ディスク）にドライブ割当される。また、共有記憶装置（共有ディスク）に格納されたデータにアクセスする手段としてＣＤ／ＤＶＤエミュレータ機能を持つ。
【００６０】
シリアルＡＴＡ（１）１００２を介してシリアルＡＴＡ（１）ケーブル内を流れる信号としては、シリアルＡＴＡ対応のハードディスク信号があり、この信号に関してのフォーマット変換は不要である。また、シリアルＡＴＡ（２）１００１を介してシリアルＡＴＡ（２）ケーブル内を流れる信号としては、シリアルＡＴＡ対応のＣＤ／ＤＶＤ信号と互換（ＣＤ／ＤＶＤエミュレーション時）のある信号と、シリアルＡＴＡ対応のハードディスク信号と互換（共有ディスク上のファイルアクセス時）のある信号があり、共有記憶装置（共有ディスク）とのインターフェースにはＬＡＮケーブルを使用し、このＬＡＮケーブルには、上述のシリアルＡＴＡ（２）ケーブル内を流れる信号が流れる。
【００６１】
このような構成のディスク接続装置９２ｃの処理動作例を、図１１を用いて説明する。コンピュータ装置（センタ管理個人所有ＰＣ）からのシリアルＡＴＡ（１）経由の信号は、そのまま専用ディスク９２４に渡され、シリアルＡＴＡ（２）経由の信号は、内部信号変換部９２５において、ＣＤ／ＤＶＤエミュレータ９２６に渡される信号と、ＬＡＮ・シリアルＡＴＡ信号変換処理部９２７に渡される信号に分割される。
【００６２】
ＬＡＮ・シリアルＡＴＡ信号変換処理部９２７は、シリアルＡＴＡ（２）の信号をＬＡＮ信号に変換して、ディスク管理装置（共有ディスク管理用ファイルサーバ９３）１１０２で管理する共有記憶装置（共有ディスク）上のファイル（ＣＤ／ＤＶＤイメージファイル１１０３、共有ファイル１１０４）を、通常のハードディスク上のファイルとして取り扱うことができるようにする。
【００６３】
ＣＤ／ＤＶＤエミュレータ９２６は、共有記憶装置（共有ディスク）上のＣＤ／ＤＶＤイメージファイル１１０３を実際のＣＤ／ＤＶＤメディアとしてコンピュータ装置（センタ管理個人所有ＰＣ）側に認識させるエミュレーション処理を行う。尚、このようなＣＤ／ＤＶＤイメージファイルをＣＤ／ＤＶＤとしてコンピュータに認識させる技術は、市販ソフトウェアで可能である。
【００６４】
次に、図１２を用いて、ディスク接続装置９２ｃの利用形態の説明を行う。図１２では、ＣＤ／ＤＶＤエミュレーション時のＣＤ／ＤＶＤメディア利用例を示しており、共有ディスク１２０１上には、各種ＣＤ／ＤＶＤイメージファイルが保管されており、端末装置（リモート制御用端末ＰＣ）１２０４からリモート操作する側のユーザは、その内のライセンス１２０２を所持しているものだけを利用することができる。
【００６５】
メディア交換は、所持ライセンス一覧からメディア名を選択することで行い、交換指示は端末装置（リモート制御用端末ＰＣ）１２０４からセンタ内仲介サーバ１２０３を介して、共有ディスク１２０１に対して行う。例えば、コンピュータ装置（センタ管理個人所有ＰＣ）１１０１をＯＳから再設定する場合は、共有ディスク１２０１上のカレントメディアをＯＳのＣＤ−ＲＯＭに設定した後、ＢＩＯＳ設定画面でＰＣ起動用ブートドライブを専用ディスク（Ｃドライブ）９２４からＣＤ／ＤＶＤエミュレータドライブ（Ｄドライブ）９２６に変更して再起動することで、ＯＳのＣＤ−ＲＯＭからのインストール処理を開始することができる。
【００６６】
次に、図１３および図１４を用いて、図１におけるコンピュータ集中運用センタシステム１の共有記憶装置（共有ディスク）の管理動作について説明する。本例のコンピュータ集中運用センタシステム１では、ディスク管理装置１ｆにより、各ユーザの所持しているデータを共有ディスクに一元管理することで、重複ファイルおよび類似ファイルを排除し、限られた物理的記憶容量で、１ユーザあたりの論理的記憶容量を飛躍的に増大させることができる。また、リモートユーザ間でのファイル授受であっても、センタ内で行われインターネットを経由しないので、ネットワーク伝送の遅延による通信時間がゼロ近くになるメリットがある。
【００６７】
図１３は、図１におけるコンピュータ管理サービスネットワークシステムの共有記録装置でのファイル管理例を示す説明図であり、図１４は、図１におけるディスク管理装置の処理動作例を示すフローチャートである。
【００６８】
図１３を用いて、共有記憶装置（共有ディスク）と専用記憶装置（専用ディスク）のファイル管理システムの相違点を説明する。図１３の（１）においては、従来のファイル管理システムのファイル管理システムの構造を示し、図１３の（２）においては、共有ディスクのファイル管理システムの構造を示している。
【００６９】
図１３の（１）に示す従来のファイル管理システムでは、同一ボリューム上に重複ファイル（「Ａ」）や類似ファイル（「Ｂ」、「Ｂ’」）が存在してもチェックする機能は無かったが、図１３の（２）に示す本例の共有ディスクのファイル管理システムでは、実体ファイルをプロパティ情報を経由して管理する。このため、ファイル登録時には実体ファイルを自分専用に割り当てられたディスク領域を消費して格納する必要が無くなる。
【００７０】
このようなファイル管理技術では、共有ディスクを利用するリモートユーザが増えれば増える程、実体ファイルの共有発生確率および同時共有数も増え、物理的ディスクスペースの消費を節約することができる。尚、ディスク共有で使用する重複ファイルおよび類似ファイルを排除する技術に関しては、データ圧縮技術として既出であり、ここでの説明は省略する。
【００７１】
尚、共有の対象とならないデータに関しては、従来のファイル管理システムと同様にして、専用ディスクの中に保管する。このような専用ディスクの当該ＰＣ集中管理システムにおける存在理由としては、共有ディスクと比較し、アクセスユーザが所有者本人に絞り込まれているので、セキュリティに優れていることと、ファイル管理システムが簡素であり、ディスクアクセス性能が高いことが挙げられる。専用ディスクの用途としては、コンピュータ装置（センタ管理個人所有ＰＣ）のＯＳが常時専有するシステムドライブ（例えばＣドライブ）のインストールや、法人ユーザが所有するユニークかつ外部非公開のデータなどの格納である。
【００７２】
尚、共有ディスク上に存在する重複ファイルや類似ファイルを機械的に排除するだけでは、ディスクの利用効率の向上には不十分であり、例えば、図１４に示すようにして、ユーザのファイル登録要求時に、当該ファイルの共有発生数をユーザに事前通知し、ディスク共有数がｎ人に増えればディスク消費量（≒課金）も１／ｎになることを明示して、同一なデータの登録時の保管フォーマット（圧縮・アーカイブ形式等）の統一を促すことが有効である。
【００７３】
図１４においては、まず、ユーザからの登録ファイルの指定を受けると（ステップＳ１４０１）、共有ディスクにおける当該ファイルと重複もしくは類似するファイルの検索・調査を行い（ステップＳ１４０２）、共有数を集計し（ステップＳ１４０３）、消費ディスク量を計算し（ステップＳ１４０４）、その算出結果を、ユーザの端末の画面上にメッセージ表する（ステップＳ１４０５）。
【００７４】
このように表示されたメッセージ（ファイルの登録の確認）１４００を参照してユーザが、当該ファイルの共有ディスクにおける重複ファイル、類似ファイルとしての登録指示を選択すると（ステップＳ１４０６）、当該ファイルを共有ディスクにおける重複ファイル、類似ファイルとして登録する（ステップＳ１４０７）。
【００７５】
尚、このような重複ファイルの登録後、さらにディスク共有ユーザが増えれば表示値よりも翌月のディスク消費量は減り、逆に共有ユーザが減った場合は表示値よりも翌月のディスク消費量は増える。
【００７６】
次に、図１５および図１６を用いて、図１におけるコンピュータ集中運用センタシステム１の共有記憶装置（共有ディスク）を用いた著作権保護管理動作について説明する。本例のコンピュータ集中運用センタシステム１では、ディスク管理装置１ｆにより一元管理する共有ディスクに、コンピュータ装置１ａ〜１ｄのそれぞれで動かす市販アプリケーションのインストール用ＣＤ−ＲＯＭのデータや市販著作権データを記憶する。これにより、パックアップの為のコピーを取得したり、コンピュータ装置１ａ〜１ｄ内のディスク容量不足回避の為にリムーバルメディア等にデータ移動する必要性自体が無くなるので、著作権保護対策が容易になる。
【００７７】
図１５は、図１におけるディスク管理装置による共有記憶装置のフォルダ管理例を示す説明図であり、図１６は、図１におけるディスク管理装置による共有記憶装置へのアクセス制御処理例を示すフローチャートである。
【００７８】
まず、図１５を用いて、共有記憶装置（共有ディスク）１５０１を用いた著作権の保護技術例を説明する。本例では、共有記憶装置（共有ディスク）１５０１内のファイルをセンタ管理フォルダ１５０２と個人管理フォルダ１５０３の属性に分けて管理をする。センタ管理フォルダ１５０２には市販アプリケーション等の、コピーしてはいけないデータを保管し、個人管理フォルダ１５０３には個人専用のデータを保管する。
【００７９】
ここで、個人管理フォルダ１５０３内のファイル以外は、端末装置（リモート制御用端末ＰＣ）１５０４（２ａ〜２ｃ）へのダウンロードを禁止にすることにより、違法なデータコピーとコンピュータ集中運用センタシステム（１）からの流出を防ぐことができる。このような制御を行うためのファイル操作ツールについて、図１６を用いて説明する。
【００８０】
図１６は、本発明に係わるファイル操作ツールの処理手順例を示している。従来のファイル操作ツールにおいても、「参照権限のみ（読み取り専用）」の制限を設けてコピーを禁止する機能を有しているが、同じ記憶装置装置（共有ディスク）内のセンタ管理フォルダ１５０２から個人管理フォルダ１５０３へのデータコピーは可能である。
【００８１】
本例のファイル操作ツールによれば、まず起動時に、自身のプログラムのチェックを行い改造が加えられていないか確認する（ステップＳ１６０１）。その後、当該ユーザの所有ライセンスを確認して、当該ユーザが所有するセンタ管理フォルダおよび個人管理フォルダを表示する（ステップＳ１６０３，Ｓ１６０４）。
【００８２】
ユーザがファイルを選択すると（ステップＳ１６０５）、選択されたファイルのプロパティ情報に基づき、センタ管理フォルダ１５０２のファイルか、個人管理フォルダ１５０３のファイルかを判別し（ステップＳ１６０６）、センタ管理フォルダ１５０３のファイルであれば、コピーやドラッグ＆ドロップ、ならびにダウンロード等のファイル操作機能を無効化する（ステップＳ１６０７，Ｓ１６０８）。
【００８３】
さらに、ファイル属性（拡張子）から関連づけで起動できるアプリケーションもセンタ指定の著作権保護を考慮した再生専用のアプリケーションに限定する（ステップＳ１６０９）。例えば、著作権データのREADME．TXTの中身を確認する時のプログラムは、別領域にファイル保存ができるテキストエディタではなく、選択文字列のコピー＆ペーストやファイル保存ができないテキストビューワーに限定する。
【００８４】
そして、ユーザのリモート操作に応じたファイル操作を行う（ステップＳ１６１０）。尚、ステップＳ１６０６での判別処理において、選択されたファイルが個人管理フォルダ１５０３のファイルであれば、ステップＳ１６０７〜Ｓ１６０８でのファイル操作の機能制限は行わない。
【００８５】
次に、図１７から図２１を用いて、図１におけるコンピュータ集中運用センタシステム１による余剰ＣＰＵパワーの有効活用動作について説明する。コンピュータ集中運用センタシステム１で管理する各コンピュータ装置１ａ〜１ｄは、常時ＣＰＵを１００％使用しているわけではないので、余ったＣＰＵパワーを科学技術計算などの別用途に割り当てることが可能である。
【００８６】
このような余剰ＣＰＵパワーを有効活用する従来技術としては、例えば、インターネットに繋がった多数のコンピュータを使って地球外文明を探査するＳＥＴＩ（Search for Extra-Terrestrial Intelligence）がある。本例では、コンピュータ集中運用センタシステム１で管理する各コンピュータ装置１ａ〜１ｄは、自コンピュータ装置外の各センタ内ネットワーク資源へのアクセスが高速な為、データＩ／Ｏ（入出力）等による計算処理のボトルネックの発生ポイントが少なく、インターネット上のＰＣよりも、余剰ＣＰＵパワーを組織的に有効活用することができ、活用結果をユーザ還元することも容易である。
【００８７】
図１７は、図１におけるコンピュータ管理サービスネットワークシステムの余剰ＣＰＵパワーの活用処理例を示す説明図であり、図１８は、図１におけるコンピュータ管理サービスネットワークシステムによる余剰ＣＰＵパワーの管理制御例を示す説明図、図１９は、図１におけるコンピュータ管理サービスネットワークシステムによる余剰ＣＰＵへのタスク割り当て処理例を示す説明図、図２０は、図１９におけるタスクサーバによるタスク割り当て処理動作例を示すフローチャート、図２１は、図１９におけるタスクサーバの外部依頼者からの依頼に基づくタスク割り当て処理動作例を示すフローチャートである。
【００８８】
図１７においては、本例のコンピュータ管理サービスネットワークシステム（１）による余剰ＣＰＵパワーの管理制御の結果例を示しており、改善前のタスクマネージャ１７０１でＣＰＵアイドル率（Ｓｙｓｔｅｍアイドル）が６０％と検知されたコンピュータ装置に、科学技術計算タスクを割り当てたことにより、改善後のタスクマネージャ１７０２では、ＣＰＵアイドル率が６０％から５％に改善されたことが検知されている。
【００８９】
図１８においては、ユーザが操作する端末装置（２ａ〜２ｃ）における、タスクの優先度設定用画面のレイアウト例を示している。本例のタスクの優先度設定用画面１８０１では、余剰ＣＰＵパワーを有効活用するためのタスクが、当該ＣＰＵを具備したコンピュータ装置（１ａ〜１ｄ）の所有者であるリモートユーザの利用に支障が出ないよう処理優先順位を、通常より低く設定を変更している。
【００９０】
図１９においては、このような余剰ＣＰＵパワーを計算業務に割り当てる際の制御動作例を示しており、センタ制御装置（１ｈ）が有する機能（タスクサーバ１９０２）において、センタ外の計算機１９０３からの計算業務（ＪＯＢ）を請負って、ＣＰＵパワーに余裕のあるコンピュータ装置（センタ管理個人ＰＣ）１９０１ａ〜１９０１ｃに計算処理を割り当て、各計算結果を収集・集計して、依頼元のセンタ外計算機１９０３に対して、結果を返すと共に、各ＣＰＵパワーの使用量に応じた課金を行う。
【００９１】
尚、コンピュータ集中運用センタシステム（１）では、依頼元のセンタ外計算機１９０３から得られた手数料を、センタ運営費に充当し、各コンピュータ装置（センタ管理個人ＰＣ）１９０１ａ〜１９０１ｃに対するセンタ月額利用料金を引き下げることによってリモートユーザに還元する。
【００９２】
図２１を用いて、タスクサーバ１９０２の処理動作例を説明する。タスクサーバ１９０２は、センタ外の計算機１９０３からＪＯＢ依頼を受けると（ステップＳ２００１）、ＪＯＢをタスクに分割し（ステップＳ２００２）、各タスクの順序を定め（ステップＳ２００３）、タスク割当対象の各コンピュータ装置１９０１ａ〜１９０１ｃ（センタ管理個人ＰＣ）に、センタ内ＬＡＮ経由でログインして（ステップＳ２００４）、タスクを実行させ（ステップＳ２００５）、各コンピュータ装置１９０１ａ〜１９０１ｃ（センタ管理個人ＰＣ）のＣＰＵパワーを計上する（ステップＳ２００６）。
【００９３】
全てのタスクが終了すると（ステップＳ２００７）、各コンピュータ装置１９０１ａ〜１９０１ｃ（センタ管理個人ＰＣ）からログオフし（ステップＳ２００８）、各処理結果を集計し（ステップＳ２００９）、各ＣＰＵパワーの集計と課金計算を行った後（ステップＳ２０１０）、依頼元のセンタ外計算機１９０３に対して、計算（ＪＯＢ）結果を送信すると共に課金請求を行う（ステップＳ２０１１）。
【００９４】
次に、図２１を用いて、センタ内ＪＯＢ実行の説明を行う。センタ外からの計算（ＪＯＢ）依頼が無い時は、リモートユーザが所有するコンピュータ装置１９０１ａ〜１９０１ｃからタスクサーバ１９０２にＪＯＢ依頼することも可能である。依頼できるＪＯＢは、予めタスク分割手順が準備されている指定の処理である。
【００９５】
リモートユーザによるＪＯＢ依頼アプリケーションの起動に伴いＪＯＢ一覧メニューを表示し（ステップＳ２１０１）、リモートユーザがこのＪＯＢ一覧メニューから、例えば「ビデオカメラで撮影したＤＶ動画をＭＰＥＧ２で圧縮するＪＯＢ」を選択した場合（ステップＳ２１０２，Ｓ２１０３）、入力ファイルと出力ファイルを指定してタスクサーバ１９０２に当該ＪＯＢの実行を依頼する（ステップＳ２１０４，Ｓ２１０５）。
【００９６】
タスクサーバ１９０２では、入力ファイルを受信すると（ステップＳ２１０６）、タスクを分割し（ステップＳ２１０７）、各タスクの順序を定め（ステップＳ２１０８）、タスク割当対象の各コンピュータ装置（センタ管理個人ＰＣ）（１９０１ａ〜１９０１ｃ）に、センタ内ＬＡＮ経由でログインして（ステップＳ２１０９）、タスクを実行させ（ステップＳ２１１０）、各コンピュータ装置のＣＰＵパワーを計上し（ステップＳ２１１１）、全てのタスクが終了すると（ステップＳ２１１２）、各コンピュータ装置からログオフし（ステップＳ２１１３）、出力ファイル送信を行う（ステップＳ２１１４）。
【００９７】
尚、ＪＯＢ依頼の利用上限は、依頼元コンピュータ装置が過去に提供した余剰ＣＰＵパワーの累計値迄とし、ＪＯＢ実行中に当該依頼元コンピュータ装置のＣＰＵパワー累計の残り値が「０」になってしまった場合は、タスクサーバ１９０２は、依頼者側コンピュータ装置にログインし、当該依頼者側コンピュータ装置のＣＰＵパワーのみでタスク実行しＪＯＢを継続する。
【００９８】
次に、図２２から図２４を用いて、図１におけるコンピュータ集中運用センタシステム１での、メディアサーバ５による著作権データの高品質な再生動作について説明する。メディアサーバ（５）は、共有記憶装置（共有ディスク）１ｅ上に存在する著作権データを端末装置２ａ〜２ｃ以外でも利用する為の装置である。コンピュータ集中運用センタシステム１においてメディアサーバ５を用いることにより、著作権データを、端末装置２ａ〜２ｃよりも高品質に再生できる他、以下のようなメリットが有る。
【００９９】
（１）各著作権データを共有記憶装置（共有ディスク）１ｅに保管するので、ＣＤ／ＤＶＤ等のメディアを自宅保管したり、再生時にメディア交換をする手間がなくなり、手元のリモコンで全ての操作が可能となる。尚、ユーザが利用できる、共有記憶装置（共有ディスク）上の市販コンテンツを増やすには、センタ側からダウンロード・再生を許可するライセンスを「購入」することによって行う。
【０１００】
（２）ＣＤ／ＤＶＤ等の固定メディアに記録されたデータは、強力なコピー防止プロテクトを施しても時の経過と共に解除される危険性が高いが、共有記憶装置（共有ディスク）１ｅからメディアサーバ５に配信される著作権データはデータフォーマット暗号方式を随時変更可能であり、また、メディアサーバ５上のデコード・再生プログラムもセンタ側からネッワーク経由でアップデートでき、動的な著作権保護対策がとれる。
【０１０１】
（３）地上波・ＢＳデジタルＴＶ放送の録画には「ライトアトワンス」の制限があり、現状のハードディスク録画装置には録画容量の物理的上限が有るが、共有記憶装置（共有ディスク）１ｅ上に録画されたデータであれば、録画容量の上限が無く、メディアサーバ５から何時でもダウンロード・再生が可能である。
【０１０２】
図２２は、図１におけるコンピュータ管理サービスネットワークシステムのデータ配信処理動作例を示す説明図であり、図２３は、図１におけるメディアサーバの構成例を示すブロック図、図２４は、図２３におけるメディアサーバの処理動作例を示すフローチャートである。
【０１０３】
まず、図２２を用いて、メディアサーバの利用形態の説明を行う。図２２において、２２０１はコンピュータ集中運用センタシステムであり、２２０２は共有記憶装置（共有ディスク）、２２０３はディスク管理装置が有する機能としてのファイルサーバ２２０３、２２０４はルータ（モデム）、２２０５はメディアサーバ、２２０６はＨＤＴＶ、２２０７は各種ＡＶ機器である。
【０１０４】
端末装置から共有記憶装置（共有ディスク）２２０２上に存在するセンタ管理の著作権データを利用する場合、リモートユーザが得られるサービスは、コンピュータ集中運用センタシステム２２０１に設けられた自所有のコンピュータ装置からリアルタイムで提供されるＰＣ画面情報および音声情報である。
【０１０５】
しかし、リアルタイム手法による提供のみでは、ＨＤＴＶ２２０６での動画情報など大容量データの転送を必要とするものは、ネットワーク回線の速度に制限されて、そのままの再生品質を維持することができない。高品質のデータ再生を実現するには、一旦データをリモートユーザ側にダウンロードして蓄積する必要が有る。ダウンロード先として、ダウンロードしたデジタルデータの著作権保護機能をソフトウェアプログラムで解除される可能性が高い端末装置（リモート制御用端末ＰＣ）ではなく、再生専用のハードウェアであるメディアサーバ２２０５を使用する。
【０１０６】
本例のメディアサーバ２２０５は、図２３に示すように、小容量の揮発性記憶装置としての半導体メモリとＧＰＵ他動画・音声再生デコーダ機能を搭載したメイン基板２３０１、大容量不揮発性記憶装置としてのハードディスク２３０２、ＬＡＮボード２３０３、ＤＣコンバータ２３０４等から構成されている。
【０１０７】
このような構成からなるメディアサーバ２２０５は、コンピュータ集中運用センタシステム２２０１の共有記憶装置（共有ディスク）２２０２からダウンロードしてきた著作権データを、一時蓄積（キャッシュ）した後、家庭等に設置されたＨＤＴＶ２２０６や各種ＡＶ機器２２０７等で再生させるが、この際、著作権データの違法コピーを防止するために、ファイルサーバ２２０３（ディスク管理装置）では、送信対象のデータを、予め定められた間隔毎の予め定められたデータ量からなる複数の部分データと残りのデータに分割し、残りのデータに関してはメディアサーバ２２０５に一括して送信するが、複数の部分データに関しては、それぞれ、メディアサーバ２２０５における残りのデータの再生に合わせて分割して送信する。
【０１０８】
メディアサーバ２２０５では、大容量不揮発記憶装置であるハードディスク２３０２に残りのデータを蓄積し、部分データをメイン基板２３０１上の半導体メモリに蓄積する。尚、著作権データの再生にはメイン基板２３０１に設けた動画・音声再生用のデコード装置（デコーダ）で行う。また、ルータ２２０４へのインターフェースにはＬＡＮケーブルを使用し、ＨＤＴＶ２２０６や各種ＡＶ機器２２０７へのインターフェースにはＡＶ出力端子、光音声出力端子、Ｄ４端子を使用する。
【０１０９】
以下、このようなメディアサーバ２２０５の処理動作例を、図２４を用いて説明する。メディアサーバ２２０５は、著作権データを再生する前に、コンピュータ集中運用センタシステム２２０１の共有記憶装置（共有ディスク）２２０２から、再生可能な所持ライセンス一覧をダウンロードして表示する（ステップＳ２４０１，Ｓ２４０２）。ユーザは、著作権データの再生指定をこの一覧からメニュー選択して行う（ステップＳ２４０３）。
【０１１０】
メニュー選択終了後、共有記憶装置（共有ディスク）２２０２から再生データ（単独では再生できないよう一部の部分データを除去した「残りのデータ」）をダウンロードしてハードディスク（不揮発性記憶装置）２３０２に記録する（ステップＳ２４０４）。この再生データのダウンロード終了後は、再生開始の指示があるまで待機状態となる。
【０１１１】
再生開始の指示があれば、部分データ（再生制御データ）を共有記憶装置（共有ディスク）２２０２からダウンロードしてメイン基板上の半導体メモリ（揮発性記憶装置）に記録し（ステップＳ２４０５）、このように半導体メモリに記録した部分データ（再生制御データ）と、ハードディスク（不揮発性記憶装置）２３０２に記録した再生データで再生できる部分の再生を行う（ステップＳ２４０６）。
【０１１２】
この再生中は、部分データ（再生制御データ）の共有記憶装置（共有ディスク）２２０２からのダウンロードと半導体メモリ（揮発性記憶装置）への記録を一定時間毎に行い、メディアサーバ２２０５では、再生処理は終始この部分データ（再生制御データ）を参照しながら行う。
【０１１３】
このように、部分データ（再生制御データ）を必要分のみ一定時間毎に分割ダウンロードしたり、部分データ（再生制御データ）のダウンロード先に揮発性記憶装置（半導体メモリ）を使用することで、不揮発性記憶装置（ハードディスク２３０２）に全ての再生情報を蓄積しないようにすることができ、これにより、不揮発性記憶装置（ハードディスク２３０２）からのデータ吸い出しによる著作権データの違法コピーを防ぐことができる。
【０１１４】
以上、図１〜図２４を用いて説明したように、本例では、複数のコンピュータ装置１ａ〜１ｄを、それぞれの利用場所ではなく、集中運用センタに一括で設置し、センタ側において、各コンピュータ装置１ａ〜１ｄのメンテナンス管理の他、共有記憶装置（共有ディスク）１ｅの記録領域の配分、共有記憶装置（共有ディスク）１ｅを介した市販データの提供、および、各コンピュータ装置１ａ〜１ｄの余剰ＣＰＵパワーの他用途への転用などを行う。ユーザは、手元の端末装置２ａ〜２ｃ（例えばノートＰＣ）や携帯電話７等を操作することにより、コンピュータ集中運用センタに設置されている自コンピュータ装置（１ａ〜１ｄ）をインターネット等のネットワークを介してリモート操作する。さらに、ユーザ側で用意した再生専用のメディアサーバ５に、共有記憶装置（共有ディスク）１ｅから市販の映像・音楽データを読み出して配信する。
【０１１５】
このように、本例では、センタ側において、各コンピュータ装置１ａ〜１ｄの一括メンテナンス管理の他、共有記憶装置（共有ディスク）１ｅの配分、共有記憶装置（共有ディスク）１ｅを介した市販データの提供、および、各コンピュータ装置１ａ〜１ｄの余剰ＣＰＵパワーの他用途への転用などを行うことができ、各ユーザは、例えばＰＣの機能をパーソナルに専有できるメリットはそのままで、維持・管理に係る個人の負担が軽減されると共に、集中管理によって実現可能となるメリット（余剰ＣＰＵパワーの他用途への転用、ハードディスク記録データの共用）を活用でき、例えばＰＣのライフサイクルにおいて、ＰＣが本来持っている能力の利用率が低いというＰＣの不経済性を解消することが可能である。さらに、ユーザ側では、用意したメディアサーバに、共有記憶装置（共有ディスク）から市販の映像・音楽データをダウンロードすることで、ＨＤＴＶ等を介して高品質な再生も可能となる。
【０１１６】
また、ユーザは、職場や旅先の任意のＰＣから、自分用に設定されたセンタＰＣの利用が可能となり、自分用のモバイルＰＣを持ち歩く必要性が減る。また、ＴＶ放送のＰＣ録画やビデオカメラ動画のエンコードなど、処理負荷の高いバッチ系処理の実行環境としてセンタＰＣを利用でき、個人用のセカンドＰＣとして利用できる。また、センタＰＣを、データのバックアップ用として利用できる。また、センタＰＣを、常時通電・稼動が前提のサーバとして利用でき、例えば、大容量のファイルサーバ（この際、専用ディスクを増設する）や、中小規模法人向けのアプリケーションサーバ（オンラインショップなどの商用サービスに使用）、あるいは、個人主催のオンラインゲーム用サーバとしても利用可能でる。
【０１１７】
さらに、リモート制御用端末ＰＣからセンタＰＣのリモート操作にインターネット網を利用することにより、リモート制御用端末ＰＣがあれば世界中何処でも保守・管理された自分のＰＣと個人データを利用することができる。また、従来のモバイルＰＣにおける盗難・紛失・物理破損によるデータ損失を抑えることができる。
【０１１８】
また、個人所有のＰＣをセンタで集中管理することにより、利用するハードウェアを自宅（職場）に置かなくて済むので、ＰＣ設置場所や大容量電源確保、冷却ファン騒音対策が不要となる。また、ハードウェアの専門知識なしに、最新または特殊なハードも利用できる。すなわち、ＰＣの初期設定やパーツ交換はセンタ側で代行する。また、ハードウェア故障時の修理依頼や代用ＰＣの準備も容易となる。すなわち、ＰＣ基板の交換はセンタ側で肩代わりする。また、データを安全・簡単・確実にバックアップできるのでデータ保全が容易である。すなわち、共有ディスクはセンタ側で保全し、専用ディスクのバックアップも共有ディスク経由で行う。
【０１１９】
尚、本発明は、図１〜図２４を用いて説明した例に限定されるものではなく、その要旨を逸脱しない範囲において種々変更可能である。例えば、本例では、ユーザが操作する手元の端末装置としては、ノートＰＣ等からなる端末装置２ａ〜２ｃや携帯電話７を用いているが、例えば、図示していないＰＤＡ等を操作することにより、コンピュータ集中運用センタシステム１に設置されている自コンピュータ装置（１ａ〜１ｄ）をネットワークを介してリモート操作すると共に、ユーザ側で用意した再生専用の装置であるメディアサーバ５に、共有記憶装置１ｅから市販の映像・音楽データをダウンロードして、ＨＤＴＶ４ａや各種ＡＶ機器４ｂで再生することでも良い。
【０１２０】
また、本例のコンピュータ構成例としても、キーボードや光ディスクの駆動装置の無いコンピュータ構成としても良い。また、本例では、光ディスクを記録媒体として用いているが、ＦＤ（Flexible  Disk）等を記録媒体として用いることでも良い。また、プログラムのインストールに関しても、通信装置を介してネットワーク経由でプログラムをダウンロードしてインストールすることでも良い。
【図面の簡単な説明】
【０１２１】
【図１】本発明に係わるコンピュータ集中運用センタシステムの構成例およびそれを用いたコンピュータ管理サービスネットワークシステムの構成例を示すブロック図である。
【図２】図１におけるコンピュータ管理サービスネットワークシステムのリモート制御に係わるシステム構成例を示すブロック図である。
【図３】図２における専用アダプタの構成例を示すブロック図である。
【図４（ａ）】図２におけるシステム構成での信号の送受信動作例の一部分を示す説明図である。
【図４（ｂ）】図２におけるシステム構成での信号の送受信動作例の残りのを示す説明図部分である。
【図５】図２におけるセンタ内仲介サーバの処理動作例を示す説明図である。
【図６（ａ）】図２におけるセンタ内仲介サーバの処理動作の詳細例およびそれに対応する端末装置の処理動作例の一部分を示す説明図である。
【図６（ｂ）】図２におけるセンタ内仲介サーバの処理動作の詳細例およびそれに対応する端末装置の処理動作例の残りの部分を示す説明図である。
【図７】図５におけるセンタ内仲介サーバで送受信される電送データのフォーマット例を示す説明図である。
【図８】図５におけるセンタ内仲介サーバで管理されるチェックテーブルの構成例を示す説明図である。
【図９】図１におけるコンピュータ管理サービスネットワークシステムでのコンピュータ装置の管理構成例を示す説明図である。
【図１０】図９におけるディスク接続装置の構成例を示すブロック図である。
【図１１】図１０におけるディスク接続装置の処理機能例を示す説明図である。
【図１２】図１０におけるディスク接続装置の利用形態例を示す説明図である。
【図１３】図１におけるコンピュータ管理サービスネットワークシステムの共有記録装置でのファイル管理例を示す説明図である。
【図１４】図１におけるディスク管理装置の処理動作例を示すフローチャートである。
【図１５】図１におけるディスク管理装置による共有記憶装置のフォルダ管理例を示す説明図である。
【図１６】図１におけるディスク管理装置による共有記憶装置へのアクセス制御処理例を示すフローチャートである。
【図１７】図１におけるコンピュータ管理サービスネットワークシステムの余剰ＣＰＵパワーの活用処理例を示す説明図である。
【図１８】図１におけるコンピュータ管理サービスネットワークシステムによる余剰ＣＰＵパワーの管理制御例を示す説明図である。
【図１９】図１におけるコンピュータ管理サービスネットワークシステムによる余剰ＣＰＵへのタスク割り当て処理例を示す説明図である。
【図２０】図１９におけるタスクサーバによるタスク割り当て処理動作例を示すフローチャートである。
【図２１】図１９におけるタスクサーバの外部依頼者からの依頼に基づくタスク割り当て処理動作例を示すフローチャートである。
【図２２】図１におけるコンピュータ管理サービスネットワークシステムのデータ配信処理動作例を示す説明図である。
【図２３】図１におけるメディアサーバの構成例を示すブロック図である。
【図２４】図２３におけるメディアサーバの処理動作例を示すフローチャートである。
【符号の説明】
【０１２２】
１：コンピュータ集中運用センタシステム、１ａ〜１ｄ，４１，１１０１：コンピュータ装置（センタ管理個人所有ＰＣ）、１ｅ：共有記憶装置（共有ディスク）、１ｆ，１１０２：ディスク管理装置（ファイルサーバ）、１ｇ：専用記憶装置（専用ディスク）、１ｈ：センタ制御装置、１ｉ，４２，５１，９２ａ：専用アダプタ、１ｊ，５３，９１：センタ内仲介サーバ、２ａ〜２ｃ，４３，５５：端末装置（リモート制御用端末ＰＣ）、３，３ａ〜３ｃ：ルータ、４ａ：ＨＤＴＶ、４ｂ：各種ＡＶ機器、５：メディアサーバ、６：電話会社システム、６ａ：交換装置、７：携帯電話、２０，５４：インターネット網、２１：プロバイダ装置、３１：メイン基板、３２：ＬＡＮボード、３３：ＤＣコンバータ、３４：ＵＳＢ２．０端子、３５：モニタ入力端子、４２：専用アダプタ、５２：センタ内ＬＡＮ（１）、８１：チェックテーブル（ＴＢＬ）、８２：アカウントテーブル（ＴＢＬ）、８３：ユーザＩＤテーブル（ＴＢＬ）、８４：専用アダプタテーブル（ＴＢＬ）、９２：保管ラック（センタ管理個人所有ＰＣ保管ラック）、９２ｂ：基板（マザーボード＋ビデオカード）、９２ｃ：ディスク接続装置、９３：共有ディスク管理用ファイルサーバ、９４：共有ディスク保管ラック、９４ａ：汎用ＰＣ用５インチハードディスク、９２１：メイン基板、９２２：ＬＡＮボード、９２３：ＤＣコンバータ、９２４：専用ディスク（ハードディスク）、９２５：内部信号変換部、９２６：ＣＤ／ＤＶＤエミュレータ、９２７：ＬＡＮ・シリアルＡＴＡ信号変換処理部、９２８：共有ディスク、１００１：シリアルＡＴＡ（２）、１００２：シリアルＡＴＡ（１）、１１０３：ＣＤ／ＤＶＤイメージファイル、１１０４：共有ファイル、１２０１：共有ディスク、１２０２：ライセンス、１２０３：センタ内仲介サーバ、１２０４：端末装置（リモート制御用端末ＰＣ）、１４００：メッセージ（ファイルの登録の確認）、１５０１：共有記憶装置（共有ディスク）、１５０２：センタ管理フォルダ、１５０３：個人管理フォルダ、１５０４：端末装置（リモート制御用端末ＰＣ）、１７０１：改善前のタスクマネージャ、１７０２：改善後のタスクマネージャ、１８０１：タスクの優先度設定用画面、１９０１ａ〜１９０１ｃ：コンピュータ装置（センタ管理個人ＰＣ）、１９０２：タスクサーバ、１９０３：依頼元のセンタ外計算機、２２０１：コンピュータ集中運用センタシステム、２２０２：共有記憶装置（共有ディスク）、２２０３：ファイルサーバ、２２０４：ルータ（モデム）、２２０５：メディアサーバ、２２０６：ＨＤＴＶ、２２０７：各種ＡＶ機器、２３０１：メイン基板、２３０２：ハードディスク（大容量不揮発性記憶装置）、２３０３：ＬＡＮボード、２３０４：ＤＣコンバータ。
【図１】
2006011786.tif 000003
【図２】
2006011786.tif 000004
【図３】
2006011786.tif 000005
【図４（ａ）】
2006011786.tif 000006
【図４（ｂ）】
2006011786.tif 000007
【図５】
2006011786.tif 000008
【図６（ａ）】
2006011786.tif 000009
【図６（ｂ）】
2006011786.tif 000010
【図７】
2006011786.tif 000011
【図８】
2006011786.tif 000012
【図９】
2006011786.tif 000013
【図１０】
2006011786.tif 000014
【図１１】
2006011786.tif 000015
【図１２】
2006011786.tif 000016
【図１３】
2006011786.tif 000017
【図１４】
2006011786.tif 000018
【図１５】
2006011786.tif 000019
【図１６】
2006011786.tif 000020
【図１７】
2006011786.tif 000021
【図１８】
2006011786.tif 000022
【図１９】
2006011786.tif 000023
【図２０】
2006011786.tif 000024
【図２１】
2006011786.tif 000025
【図２２】
2006011786.tif 000026
【図２３】
2006011786.tif 000027
【図２４】
2006011786.tif 000028